(57)【特許請求の範囲】
【請求項１】
錠の閂に内蔵され、第１のコイル、コンデンサ、抵抗からなり、特定の周波数で共振する共振回路と、
前記閂が嵌入する受け穴に面して設けられ、前記閂が前記受け穴に嵌入したときに、前記共振回路の第１のコイルとの間で電磁結合する第２のコイルと、
該第２のコイルに接続され、何れか一つの周波数が前記共振回路の共振周波数と同一周波数となるように各々異なる周波数に設定された複数の発振器と、
前記閂が前記受け穴に嵌入して前記共振回路の第１のコイルが前記第２のコイルと電磁結合し、前記共振回路と同一周波数の前記発振器の出力が変化したときに、施錠した旨の信号を出力する判別回路と、
該判別回路からの施錠した旨の信号により施錠の表示を行う表示器とを備えたことを特徴とする施錠確認装置。
【発明の詳細な説明】
【０００１】
【発明の属する技術分野】
本発明は、建物の施錠を遠隔地で確認するための施錠確認装置に関するものである。
【０００２】
【従来の技術】
例えば複数のテナントが入ったビル等の建物では、共通出入口を通じて様々な人の出入りがなされる。そして、この種の共通出入口を備えた建物では、例えば本来施錠状態にある筈の共通出入口が解錠されて不用意に人が侵入しないように、共通出入口の施錠状態を遠隔地で監視して防犯、警備を行うべく、図２や図３に示す施錠確認装置を採用している。
【０００３】
図２の施錠確認装置は、一番多い仕様であり、機械的スイッチにより閂の突出を検知するものである。機械的スイッチ５１は、閂５２が嵌入する受け穴５３が形成された扉枠５４内に設けられ、閂５２の突出によって移動するアクチュエータ５５と、アクチュエータ５５の移動に伴ってオン・オフするマイクロスイッチ５６とを備えて構成される。マイクロスイッチ５６には、遠隔地（例えば管理室や警備センター等）に配設された表示器としてのランプ５７が電源５８を介して接続されている。
【０００４】
この施錠確認装置では、施錠動作により閂５２が突出して受け穴５３に嵌入すると、閂５２によってアクチュエータ５５が押される。このアクチュエータ５５の移動によりマイクロスイッチ５６がオンすると、回路が閉じてランプ５７に電源が供給される。これにより、ランプ５７が点灯し、施錠を確認することができる。
【０００５】
図３の施錠確認装置は、図２の施錠確認装置の改善例の１つであり、リードスイッチにより閂の突出を検知するものである。尚、図２の施錠確認装置と同一の構成要素には同一番号を付して説明する。
【０００６】
この施錠確認装置の閂５２の先端面には、磁石６１が設けられている。閂５２が嵌入する受け穴５３が形成された扉枠５４内には、リードスイッチ６２が磁石６１に対面して設けられている。リードスイッチ６２には、遠隔地（例えば管理室や警備センター等）に配設された表示器としてのランプ５７が電源５８を介して接続されている。
【０００７】
この施錠確認装置では、施錠動作により閂５２が突出して受け穴５３に嵌入すると、閂５２の先端面に設けられた磁石６１がリードスイッチ６２に接近する。磁石６１の磁気によりリードスイッチ６２の接点が閉じると、回路が閉じてランプ５７に電源が供給される。これにより、ランプ５７が点灯し、施錠を確認することができる。
【０００８】
【発明が解決しようとする課題】
しかしながら、図２の施錠確認装置では、閂５２の突出検知が全くの機械的条件のみで行われるため、閂５２と異物とを判別出来ない。例えば紙、樹脂、木材、金属等がアクチュエータ５５を押した場合でも閂５２と認識するので、閂５２以外の異物によって施錠と誤認する恐れがあった。
【０００９】
又、図３の施錠確認装置では、紙、樹脂、木材等の非磁性体からなる異物による誤認を防止することはできるが、閂５２以外の磁気を帯びた異物がリードスイッチ６２に接近すると、この異物に反応してリードスイッチ６２の接点が閉じて閂と認識し、施錠と誤認する恐れがあった。
【００１０】
このように、図２及び図３に示す何れの従来の施錠確認装置においても、錠の閂５２の突出による施錠状態を機械的条件によって検知する構成なので、閂５２以外の物体でも閂５２と認識して施錠と誤認する危険があった。従って、防犯や警備上において重要な施錠の確認を確実に行うことができなかった。
【００１１】
そこで、本発明は、上記問題点に鑑みてなされたものであり、遠隔地での施錠確認が確実に行える施錠確認装置を提供することを目的としている。
【００１２】
【課題を解決するための手段】
上記目的を達成するため、請求項１の発明は、錠の閂に内蔵され、第１のコイル、コンデンサ、抵抗からなり、特定の周波数で共振する共振回路と、
前記閂が嵌入する受け穴に面して設けられ、前記閂が前記受け穴に嵌入したときに、前記共振回路の第１のコイルとの間で電磁結合する第２のコイルと、
該第２のコイルに接続され、何れか一つの周波数が前記共振回路の共振周波数と同一周波数となるように各々異なる周波数に設定された複数の発振器と、
前記閂が前記受け穴に嵌入して前記共振回路の第１のコイルが前記第２のコイルと電磁結合し、前記共振回路と同一周波数の前記発振器の出力が変化したときに、施錠した旨の信号を出力する判別回路と、
該判別回路からの施錠した旨の信号により施錠の表示を行う表示器とを備えたことを特徴とする。
【００１３】
本発明では、閂に特定の周波数に共振する共振回路を内蔵する。扉枠内の第２のコイルに接続される複数の発振器は、それぞれ異なる周波数に設定され、そのうちの一つの周波数を閂内の共振回路の共振周波数と同一に設定しておく。閂が受け穴に嵌入されると、複数の発振器が接続された第２のコイルと閂内の共振回路の第１のコイルとの間が電磁結合され、複数の周波数による信号が閂に与えられる。
【００１４】
そして、共振回路の共振周波数と同じ周波数の発振器の出力レベルだけが閂内の共振回路の影響により変化すると、判別回路は閂が受け穴に嵌入して施錠したと判別し、施錠した旨の信号を表示器に出力して表示器が施錠の表示を行う。これに対し、全ての周波数の発振器の出力に変化が有るか、全ての発振器の出力に変化が無ければ、閂以外の物体と判別される。このように、発振器の出力値の変化により、閂か閂以外の物体であるかの判別が行われる。
【００１５】
【発明の実施の形態】
図１は本発明による施錠確認装置の一実施の形態を示す図である。
【００１６】
錠の扉１に設けられた閂２には共振回路３が内蔵されている。共振回路３は、コイル（第１のコイル）Ｌ１、コンデンサＣ、抵抗Ｒが直列接続された閉回路で構成される。閂２は、施錠時に不図示のアクチュエータにより突出し、扉枠４に取付けられたストライクの受け穴５に嵌入される。
【００１７】
閂２が嵌入される受け穴５に面した扉枠４内には、共振回路３のコイルＬ１に対向してコイル（第２のコイル）Ｌ２が配設されている。コイルＬ２の両端には２本一対で構成される一系統の伝送線６，７が接続されている。これら伝送線６，７間には、それぞれ一対のコイルから構成される第１結合器８、第２結合器９、第３結合器１０が直列接続されている。
【００１８】
第１結合器８には、特定の周波数ｆ1 の信号を出力する第１発振器１１が接続されている。この第１発振器１１の周波数ｆ1 の信号は伝送線６，７を介してコイルＬ２に供給される。
【００１９】
第２結合器９には、第１発振器１１とは異なる周波数ｆ2 の信号を出力する第２発振器１２が接続されている。この第２発振器１２の周波数ｆ2 の信号は、第１発振器１１と同様に、伝送線６，７を介してコイルＬ２に供給される。
【００２０】
第３結合器１０には、第１フィルタ１３、第２フィルタ１４、第１レベル判別器１５、第２レベル判別器１６、論理回路１７を備えた判別回路１８が接続されている。
【００２１】
第１フィルタ１３は、第３結合器１０から延出された２本の伝送線１９，２０に接続されている。この第１フィルタ１３では、伝送線６，７から第３結合器１０を介して伝送線１９，２０に誘導された周波数ｆ1 ，ｆ2 の信号のうち、周波数ｆ1 の信号のみを通過させている。
【００２２】
第２フィルタ１４は、第１フィルタ１３と同様に、第３結合器１０から延出された２本の伝送線１９，２０に接続されている。この第２フィルタ１４では、伝送線６，７から第３結合器１０を介して伝送線１９，２０に誘導された周波数ｆ1 ，ｆ2 の信号のうち、周波数ｆ2 の信号のみを通過させている。
【００２３】
第１レベル判別器１５は、第１フィルタ１３の出力に接続され、第１フィルタ１３を通過した周波数ｆ1 の信号のレベルを予め設定された基準レベルと比較し、周波数ｆ1 の信号のレベルに変化があったか否かを判別している。そして、両者のレベルが一致して周波数ｆ1 に影響が無かったときにＨレベルの判別信号を出力している。これに対し、周波数ｆ1 の信号のレベルが変化し、周波数ｆ1 に影響が有ったときにＬレベルの判別信号を出力している。
【００２４】
第２レベル判別器１６は、第２フィルタ１４の出力に接続され、第１レベル判別器１５と同様に、第２フィルタ１４を通過した周波数ｆ2 の信号のレベルを予め設定された基準レベルと比較し、周波数ｆ2 の信号のレベルに変化があったか否かを判別している。そして、両者のレベルが一致して周波数ｆ2 に影響が無かったときにＨレベルの判別信号を出力している。これに対し、周波数ｆ2 の信号のレベルが変化し、周波数ｆ2 に影響が有ったときにＬレベルの判別信号を出力している。
【００２５】
論理回路１７は、反転回路１７ａ、２入力のアンド回路１７ｂを備えて構成される。反転回路１７ａは、第２レベル判別器１６の出力に接続される。反転回路１７ａでは、第２レベル判別器１６からの判別信号を反転させ、その信号をアンド回路１７ｂに入力している。
【００２６】
アンド回路１７ｂは、一方の入力端子が第１レベル判別器１５に接続され、他方の入力端子が反転回路１７ａに接続されている。アンド回路１７ｂでは、両方の入力端子にＨレベルの判別信号が入力されたときに、「施錠」を示す状態信号を出力している。これに対し、両方の入力端子に異なるレベルの判別信号が入力されたときには、「解錠」を示す状態信号を出力している。
【００２７】
アンド回路１７ｂの出力端子には、例えばランプ等の表示器２１が接続されている。表示器２１は、錠から離れた位置、例えば管理室、警備センター等に設けられる。表示器２１は、アンド回路１７ｂから「施錠」を示す状態信号が入力されたときに、施錠した旨を示すべくランプが点灯する。尚、表示器２１としては、外部から施錠の確認が行えれば、ランプの点灯表示に限らず、文字表示等で行ってもよい。又、アンド回路１７ｂからの状態信号は、表示器２１を点灯表示させる他、警備用機器を駆動するための信号入力としても利用できる。
【００２８】
次に、上記構成による施錠確認装置の動作について説明する。ここでは、受け穴５への閂２の嵌入を検知するために第１発振器１１から送る信号の周波数をｆ1 、第２発振器１２から送る信号の周波数をｆ2 とし、閂２に内蔵した共振回路３は周波数ｆ2 に共振するものとする。
【００２９】
受け穴５への閂２の嵌入を検知するためのコイルＬ２に対し、第１発振器１１から周波数ｆ1 、第２発振器１２から周波数ｆ2 の信号をそれぞれ与える。そして、閂２が受け穴５に嵌入されて扉枠４内のコイルＬ２に近づくと、コイルＬ２は共振回路３のコイルＬ１と電磁結合する。
【００３０】
これにより、第２発振器１２の周波数ｆ2 の信号は、閂２内の共振回路３の抵抗Ｒが負荷となり、抵抗Ｒが周波数ｆ2 のエネルギーを消費し、送り側である第２発振器１２の周波数ｆ2 の信号に影響が出て、第２発振器１２の出力ｅ２が変化する。すなわち、第２発振器１２に出力インピーダンスがあるため、周波数ｆ2 の消費電力増大に伴い、負荷抵抗値が下がることになり、第２発振器１２の出力ｅ２が低下する。
【００３１】
これに対し、第１発振器１１の周波数ｆ1 の信号は、共振回路３の抵抗Ｒの負荷にならないので、第１発振器１１の周波数ｆ1 には影響が出ず、第１発振器１１の出力ｅ１は変化しない。
【００３２】
そして、第１発振器１１の出力ｅ１と第２発振器１２の出力ｅ２は、第３結合器１０を介して判別回路１８に送られる。判別回路１８では、周波数ｆ1 の信号のみが第１のフィルタ１３を通過して第１レベル判別器１５に入力される。又、周波数ｆ2 の信号のみが第２のフィルタ１４を通過して第２レベル判別器１６に入力される。
【００３３】
ここで、第１レベル判別器１５に入力された周波数ｆ1 の信号には変化が無いので、第１レベル判別器１５からは、周波数ｆ1 に影響が無い旨のＨレベルの判別信号が出力される。そして、このＨレベルの判別信号は、アンド回路１７ｂの一方の入力端子に入力される。
【００３４】
これに対し、第２レベル判別器１６に入力された周波数ｆ2 の信号には変化が有るので、第２レベル判別器１６からは、周波数ｆ2 に影響が有る旨のＬレベルの判別信号が出力される。そして、このＬレベルの判別信号は、反転回路１７ａにより反転され、Ｈレベルの判別信号としてアンド回路１７ｂの他方の入力端子に入力される。
【００３５】
これにより、アンド回路１７ｂの両入力端子には、Ｈレベルの判別信号が入力され、「施錠」を示すＨレベルの状態信号が出力される。そして、アンド回路１７ｂより「施錠」を示す状態信号が出力されると、この状態信号は表示器２１に入力されて表示器２１を点灯表示する。
【００３６】
従って、閂２が受け穴５に嵌入し、コイルＬ２と共振回路３内のコイルＬ１との間が電磁結合した状態で、第１発振器１１の周波数ｆ1 に影響が無く、第２発振器１２の周波数ｆ2 に影響が現われたとき、表示器２１が点灯表示して施錠と正しく判断することができる。
【００３７】
尚、図１に示す構成では、判別回路１８のアンド回路１７ｂの出力である「施錠」を示す状態信号により表示器２１を点灯表示しているが、アンド回路１７ｂの出力を他の警備用機器の信号として用いることもできる。
【００３８】
次に、閂２以外の物体が金属等の磁性体の場合には、両方の発振器１１，１２の周波数ｆ1 ，ｆ2 の信号は、共に金属に直接吸収、消費され、送り側である両方の発振器１１，１２に影響が出て、発振器１１，１２の出力ｅ１，ｅ２が変化する。具体的には、発振器１１，１２の出力ｅ１，ｅ２のレベルが低下する。
【００３９】
そして、発振器１１，１２の出力ｅ１，ｅ２は、第３結合器１０を介して判別回路１８に送られる。判別回路１８では、周波数ｆ1 の信号のみが第１のフィルタ１３を通過して第１レベル判別器１５に入力される。又、周波数ｆ2 の信号のみが第２のフィルタ１４を通過して第２レベル判別器１６に入力される。
【００４０】
ここで、第１レベル判別器１５に入力された周波数ｆ1 の信号には変化が有るので、第１レベル判別器１５からは、周波数ｆ1 に影響が有る旨のＬレベルの判別信号が出力される。そして、このＬレベルの判別信号は、アンド回路１７ｂの一方の入力端子に入力される。
【００４１】
又、第２レベル判別器１６に入力された周波数ｆ2 の信号にも変化が有るので、第２レベル判別器１６からは、周波数ｆ2 に影響が有る旨のＬレベルの判別信号が出力される。そして、このＬレベルの判別信号は、反転回路１７ａにより反転され、Ｈレベルの判別信号としてアンド回路１７ｂの他方の入力端子に入力される。
【００４２】
これにより、アンド回路１７ｂには、Ｌレベルの判別信号とＨレベルの判別信号が入力される。その結果、アンド回路１７ｂからは、「施錠」を示さないＬレベルの状態信号が出力される。
【００４３】
従って、物体が閂２以外の磁性体の場合には、第１発振器１１の周波数ｆ1 も第２発振器１２の周波数ｆ2 も共に大きな影響を受け、判別回路１８からは「施錠」を示す状態信号が出力されず、物体が閂２ではないことが正確に判別できる。
【００４４】
次に、閂２以外の物体が金属以外（例えば樹脂、紙、木材等）の物体の場合には、両方の発振器１１，１２の周波数ｆ1 ，ｆ2 の信号は、共振回路３の抵抗Ｒの負荷にならず、送り側である両方の発振器１１，１２の周波数ｆ1 ，ｆ2 には影響が出ず、発振器１１，１２の出力ｅ１，ｅ２は変化しない。
【００４５】
そして、発振器１１，１２の出力ｅ１，ｅ２は、第３結合器１０を介して判別回路１８に送られる。判別回路１８では、周波数ｆ1 の信号のみが第１のフィルタ１３を通過して第１レベル判別器１５に入力される。又、周波数ｆ2 の信号のみが第２のフィルタ１４を通過して第２レベル判別器１６に入力される。
【００４６】
ここで、第１レベル判別器１５に入力された周波数ｆ1 の信号には変化が無いので、第１レベル判別器１５からは、周波数ｆ1 に影響が無い旨のＨレベルの判別信号が出力される。そして、このＨレベルの判別信号は、アンド回路１７ｂの一方の入力端子に入力される。
【００４７】
又、第２レベル判別器１６に入力された周波数ｆ2 の信号にも変化が無いので、第２レベル判別器１６からは、周波数ｆ2 に影響が無い旨のＨレベルの判別信号が出力される。そして、このＨレベルの判別信号は、反転回路１７ａにより反転され、Ｌレベルの判別信号としてアンド回路１７ｂの他方の入力端子に入力される。
【００４８】
これにより、アンド回路１７ｂには、Ｈレベルの判別信号とＬレベルの判別信号が入力される。その結果、アンド回路１７ｂからは、「施錠」を示さないＬレベルの状態信号が出力される。
【００４９】
従って、物体が閂２以外の非磁性体の場合には、第１発振器１１の周波数ｆ1 も第２発振器１２の周波数ｆ2 も共に影響を受けることなく、判別回路１８からも「施錠」を示す状態信号が出力されず、物体が閂２以外であることが正確に判別できる。
【００５０】
このように、上記施錠確認装置では、発振器１１，１２の周波数ｆ1 ，ｆ2 の何れかが閂２の影響を受けたとき、発振器１１，１２の出力ｅ１，ｅ２が発振器１１，１２の内部インピーダンスにより変化する。従って、発振器１１，１２の出力ｅ１，ｅ２の値の変化により、閂２か閂２以外かの判断ができる。この結果、従来のように、閂２以外の異物によって施錠と誤認することなく、受け穴５への閂２の出入に伴う錠の施錠状態（解錠状態も含む）を遠隔地でも確実に確認することができる。
【００５１】
そして、上記施錠確認装置は、受け穴５への閂２の出入に伴う施錠又は解錠を示す判別信号を遠隔地で電気信号として受け、この電気信号を表示器２１の点灯表示や警備用機器を駆動するための信号入力として利用でき、防犯上の機器に応用することができる。
【００５２】
ところで、上記実施の形態に示す構成（図１の構成）を１ユニットとして、施錠状態の監視が必要な錠毎に採用すれば、各錠の施錠状態を一箇所（例えば管理室、警備センター等）で集中管理することができる。
【００５３】
又、上述した実施の形態では、一対の伝送線６，７に対して２つの発振器１０，１１を直列接続した場合を図示して説明したが、２つの発振器１０，１１を一対の伝送線６，７に対して並列接続しても同様の効果を奏することができる。
【００５４】
又、図示の例では、伝送線６，７に２つの発振器を接続しているが、それぞれが異なる周波数に設定され、そのうちの１つが共振回路３の共振周波数と同じ周波数に設定されていれば、複数（３つ以上）の発振器を接続してもよい。
【００５５】
更に、判別回路１８は図示の構成に限定されるものではなく、受け穴５への閂２の出入に伴う発振器１０，１１毎の出力（周波数ｆ1 ，ｆ2 それぞれの信号）の変化の有無を判別できるものであればよい。
【００５６】
【発明の効果】
以上の説明で明らかなように、本発明によれば、従来のように、閂以外の異物によって施錠と誤認することなく、受け穴への閂の嵌入による施錠状態を遠隔地でも確実に確認することができる。
【図面の簡単な説明】
【図１】本発明による施錠確認装置の一実施の形態を示す図
【図２】機械的スイッチを用いた従来の施錠確認装置の概略構成図
【図３】リードスイッチを用いた従来の施錠確認装置の概略構成図
【符号の説明】
１…扉、２…閂、３…共振回路、４…扉枠、５…受け穴、１１…第１発振器、１２…第２発振器、１８…判別回路、Ｌ１…第１のコイル、Ｌ２…第２のコイル。
【図１】
0003916714.tif 000002
【図２】
0003916714.tif 000003
【図３】
0003916714.tif 000004